(57)【特許請求の範囲】
【請求項１】
ベースに組み付けた支持端子と、
断面略Ｊ字形状に屈曲した帯状導電材からなり、一端部に可動接点を有するとともに、中間部を前記支持端子の回動用受け部に回動可能に支持した可動接触片と、
前記ベースにハウジングを嵌合して形成した内部空間内に上下動可能に収納されたプランジャと、
前記プランジャに回動自在に支持されたコイルバネと、からなり、
前記プランジャを上下動させて前記コイルバネの一端部を前記可動接触片の他端縁部に圧接しつつ、スライド移動させることにより、前記可動接触片を反転させて前記可動接点を固定接点に接離することを特徴とするスイッチ。
【請求項２】
ベースに組み付けた支持端子と、
真直な帯状導電材からなり、一端部に可動接点を有するとともに、中間部を前記支持端子の回動用受け部に回動可能に支持した可動接触片と、
前記ベースにハウジングを嵌合して形成した内部空間内に上下動可能に収納されたプランジャと、
前記プランジャに回動自在に支持されたコイルバネと、からなり、
前記プランジャを上下動させて前記コイルバネの一端部を前記可動接触片の上面の他端部に圧接しつつ、スライド移動させることにより、前記可動接触片を反転させて前記可動接点を固定接点に接離することを特徴とするスイッチ。
【請求項３】
ベースに組み付けた支持端子と、
断面略Ｊ字形状に屈曲した帯状導電材からなり、一端部に可動接点を有するとともに、中間部を前記支持端子の回動用受け部に回動可能に支持した可動接触片と、
前記ベースにハウジングを嵌合して形成した内部空間内に上下動可能に収納されたプランジャと、
断面略Ｖ字形状に屈曲した帯状弾性材からなり、前記プランジャに回動自在に支持された板バネと、からなり、
前記プランジャを上下動させて前記板ばねの一端部を前記可動接触片の他端縁部に圧接しつつ、スライド移動させることにより、前記可動接触片を反転させて前記可動接点を固定接点に接離することを特徴とするスイッチ。
【請求項４】
ベースに組み付けた支持端子と、
真直な帯状導電材からなり、一端部に可動接点を有するとともに、中間部を前記支持端子の回動用受け部に回動可能に支持した可動接触片と、
前記ベースにハウジングを嵌合して形成した内部空間内に上下動可能に収納されたプランジャと、
断面略Ｖ字形状に屈曲した帯状弾性材からなり、前記プランジャに回動自在に支持された板バネと、からなり、
前記プランジャを上下動させて前記板ばねの一端部を前記可動接触片の上面の他端部に圧接しつつ、スライド移動させることにより、前記可動接触片を反転させて前記可動接点を固定接点に接離することを特徴とするスイッチ。
【請求項５】
バネの一端部に、可動接触片の他端部の縁部に係止して溶着した固定接点および可動接点を強制乖離する強制乖離用爪部を、設けたことを特徴とする請求項１または３に記載のスイッチ。
【請求項６】
バネの一端部に、可動接触片の他端部の縁部上を摺動して組み付けできる組立用屈曲部を設けたことを特徴とする請求項１，３または５のいずれか１項に記載のスイッチ。
【請求項７】
ベースに嵌合したハウジングの内側面に、復帰時の可動接触片の上面縁部に係止して位置規制する位置規制用突条を、突設したことを特徴とする請求項１ないし６のいずれか１項に記載のスイッチ。
【請求項８】
ベースに嵌合したハウジングの内側面に、バネに側方から圧接して位置決めする位置決め用突条を、突設したことを特徴とする請求項１ないし７いずれか１項に記載のスイッチ。
【発明の詳細な説明】
【技術分野】
【０００１】
本発明はスイッチ、特に、押圧操作で接点を開閉できるスイッチに関する。
【背景技術】
【０００２】
従来、押圧操作で接点を開閉できるスイッチとしては、例えば、下記のようなスイッチ構造がある（特許文献１参照）。
【０００３】
すなわち、ボタン１４の操作によって可動端子３７を上下方向に往復移動させ、前記可動端子３７の両端部に配置した可動接点４１，４１を、これらに対向する固定接点４５，４５にそれぞれ接離させるスイッチ構造である。
【特許文献１】特開平１０−２０８５８１号公報
【発明の開示】
【発明が解決しようとする課題】
【０００４】
しかしながら、前述のスイッチ構造では、前記可動端子３７を保持スプリング４６および復帰スプリング４７で支持する必要があるため、部品点数，組立工数が多く、コスト高になる。
また、前記可動端子３７はボタン１４の操作に追従するので、可動端子３７の変位速度、すなわち、接点の開閉速度はボタン１４の操作速度にほぼ等しく、接点の開閉を瞬時に行うことができない。この結果、大電流の接点を開閉する際の接点摩耗を防止するために接触面積の大きい接点が必要になり、スイッチを小型化できないという問題点がある。
【０００５】
本発明は、前記問題点に鑑み、部品点数，組立工数が少なく、接点の開閉を瞬時に行うことができる小型のスイッチを提供することを課題とする。
【課題を解決するための手段】
【０００６】
本発明にかかるスイッチは、前記課題を解決すべく、ベースに組み付けた支持端子と、断面略Ｊ字形状に屈曲した帯状導電材からなり、一端部に可動接点を有するとともに、中間部を前記支持端子の回動用受け部に回動可能に支持した可動接触片と、前記ベースにハウジングを嵌合して形成した内部空間内に上下動可能に収納されたプランジャと、前記プランジャに回動自在に支持されたコイルバネと、からなり、前記プランジャを上下動させて前記コイルバネの一端部を前記可動接触片の他端縁部に圧接しつつ、スライド移動させることにより、前記可動接触片を反転させて前記可動接点を固定接点に接離する構成としてある。
【発明の効果】
【０００７】
本発明によれば、１つのコイルバネでプランジャを往復移動させて接点を開閉できるので、部品点数，組立工数が少なくなり、コストを低減できる。また、前記可動接触片はコイルバネのバネ力で瞬時に反転し、接点の開閉速度が著しく増大するので、接点摩耗を防止するために接触面積の大きい接点を使用する必要がなくなり、スイッチを小型化できる。
【０００８】
本発明に係る他の発明としては、ベースに組み付けた支持端子と、真直な帯状導電材からなり、一端部に可動接点を有するとともに、中間部を前記支持端子の回動用受け部に回動可能に支持した可動接触片と、前記ベースにハウジングを嵌合して形成した内部空間内に上下動可能に収納されたプランジャと、前記プランジャに回動自在に支持されたコイルバネと、からなり、前記プランジャを上下動させて前記コイルバネの一端部を前記可動接触片の上面の他端部に圧接しつつ、スライド移動させることにより、前記可動接触片を反転させて前記可動接点を固定接点に接離する構成としてある。
【０００９】
本発明によれば、前述の発明と同一の作用効果を奏する。
【００１０】
本発明に係る別の発明としては、ベースに組み付けた支持端子と、断面略Ｊ字形状に屈曲した帯状導電材からなり、一端部に可動接点を有するとともに、中間部を前記支持端子の回動用受け部に回動可能に支持した可動接触片と、前記ベースにハウジングを嵌合して形成した内部空間内に上下動可能に収納されたプランジャと、断面略Ｖ字形状に屈曲した帯状弾性材からなり、前記プランジャに回動自在に支持された板バネと、からなり、前記プランジャを上下動させて前記板ばねの一端部を前記可動接触片の他端縁部に圧接しつつ、スライド移動させることにより、前記可動接触片を反転させて前記可動接点を固定接点に接離する構成としてある。
【００１１】
本発明によれば、前述の発明と同一の作用効果を奏する。
【００１２】
本発明にかかる新たな発明としては、ベースに組み付けた支持端子と、真直な帯状導電材からなり、一端部に可動接点を有するとともに、中間部を前記支持端子の回動用受け部に回動可能に支持した可動接触片と、前記ベースにハウジングを嵌合して形成した内部空間内に上下動可能に収納されたプランジャと、断面略Ｖ字形状に屈曲した帯状弾性材からなり、前記プランジャに回動自在に支持された板バネと、からなり、前記プランジャを上下動させて前記板ばねの一端部を前記可動接触片の上面の他端部に圧接しつつ、スライド移動させることにより、前記可動接触片を反転させて前記可動接点を固定接点に接離する構成としてある。
【００１３】
本発明によれば、前述の発明と同一の作用効果を奏する。
【００１４】
本発明の実施形態としては、バネの一端部に、可動接触片の他端部の縁部に係止して溶着した固定接点および可動接点を強制乖離する強制乖離用爪部を、設けておいてもよい。
本実施形態によれば、接点溶着を強制的に解消でき、誤動作しないので、信頼性の高いスイッチが得られ。
【００１５】
本発明の他の実施形態としては、バネの一端部に、可動接触片の他端部の縁部上を摺動して組み付けできる組立用屈曲部を設けてもよい。
本実施形態によれば、組立に熟練を必要とせず、生産性の高いスイッチが得られる。
【００１６】
本発明の別の実施形態としては、ベースに嵌合したハウジングの内側面に、復帰時の可動接触片の上面縁部に係止して位置規制する位置規制用突条を、突設した構成であってもよい。
本実施形態によれば、可動接触片がハウジングに設けた位置規制用突条によって位置規制され、脱落することがないので、動作特性の安定したスイッチが得られる。
【００１７】
本発明の異なる実施形態としては、ベースに嵌合したハウジングの内側面に、バネに側方から圧接して位置決めする位置決め用突条を、突設しておいてもよい。
本実施形態によれば、バネの脱落を防止できるとともに、所定の位置に位置決めできるので、動作特性にバラツキのないスイッチが得られるという効果がある。
【発明を実施するための最良の形態】
【００１８】
本発明にかかる実施形態を図１ないし図２６の添付図面に従って説明する。
第１実施形態に係るスイッチは、図１ないし図８に示すように、ベース１０と、前記ベース１０に組み付けられる２組の接点機構２０，２０と、一対のコイルバネ５０，５０およびロックピン３５を備え、前記接点機構２０を操作するプランジャ４０と、前記ベース１０に嵌合して前記接点機構２０を被覆するとともに、前記プランジャ４０を上下動可能に支持するハウジング６０と、で構成されている。
【００１９】
前記ベース１０は、図２に示すように、その上面中央に突設した隔壁１１の一端部側から一対の絶縁壁１２，１２を同一直線上に突設してある一方、その他端部側の延長線上に係合溝１３を配置し、さらに、前記係合溝１３の他端部側から一対の絶縁壁１４，１４を同一直線上に突設してある。また、前記絶縁壁１２，１４の近傍に圧入用角孔１５，１６をそれぞれ配置してある。さらに、前記ベース１０の対向する外側面に係合用突起１７，１７をそれぞれ設けてある。
【００２０】
接点機構２０は、図２に示すように、支持端子２１、固定接点端子２５および可動接触片３０からなるものである。前記支持端子２１は、断面Ｌ字形状に屈曲した導電材からなり、その一端部の縁部から圧入用舌片２２を延在してあるとともに、その一端部から延在した起立片２３の先端縁部を切り欠いて回動用受け部２４を形成してある。そして、前記支持端子２１は、その圧入用舌片２２を前記ベース１０の圧入用角孔１５に圧入して組み付けられる。
【００２１】
また、固定接点端子２５は、断面略Ｌ字形状に屈曲するとともに、その一端部に固定接点２６を設けてあるとともに、その一端部の縁部から圧入用舌片２７を延在してある。そして、前記固定接点端子２５は、その圧入用舌片２７を前記ベース１０の圧入用角孔１６に圧入して組み付けられる。
【００２２】
さらに、可動接触片３０は、断面略Ｊ字形状に屈曲した帯状導電材からなり、その一端部に可動接点３１を設けてある一方、その他端部の先端面にスライド用切り欠き溝３２を形成してある。そして、前記可動接触片３０は、その両側縁部を切り欠いて形成した巾狭部３３を支持端子２１の回動用受け部２４に係合することにより、回動自在に支持される（図３Ｂ）。
【００２３】
ロックピン３５は、棒状金属材の両端部を反対方向にそれぞれ屈曲して上、下端部３６，３７をそれぞれ形成してある。
【００２４】
プランジャ４０は、図２に示すように、前記ベース１０の対向する絶縁壁１２，１４間に収納可能な平面形状を有し、その上面中央部から操作部４１を突設してある。さらに、前記プランジャ４０は、その正面および背面に、コイルバネ５０，５０を側方から挿入して支持する軸部４２が点対称となるように形成されている。また、前記プランジャ４０は、その外側面にカム溝４３を形成してある。前記カム溝４３は、後述するロックピン３５を介して前記プランジャ４０を所定の位置でロックするためのものである。さらに、前記プランジャ４０は、図３Ａに示すように、その下面に押圧用突部４５を前記軸部４２と平行に突設してある。そして、図３Ａに示すように、前記コイルバネ５０の両端部５１，５２を内側に撓ませて前記プランジャ４０の軸部４２に挿入することにより、その一端部５１が前記プランジャ４０の縁部４０ａに圧接するとともに、その他端部５２がプランジャ４０の天井面に圧接する。これにより、前記コイルバネ５０の一端部５１が前記プランジャ４０の突起４０ｂに係止し、脱落を防止できるので、組立作業が容易になる。
【００２５】
ハウジング６０は、図２に示すように、前記接点機構２０および前記プランジャ４０を組み付けたベース１０の外周部に嵌合可能な箱形状を有し、その上面中央に設けた操作孔６１の開口縁部に環状リブ６２を設けてある。さらに、前記ハウジング６０は、その下方開口縁部に一対の係合孔６３を対向するように設けてある。
【００２６】
そして、本実施形態にかかるスイッチを組み立てる場合には、接点機構２０を組み付けたベース１０の係合溝１３に、前記ロックピン３５の下端部３７を上方から挿入し、側方にスライドさせて抜け止めする。そして、コイルバネ５０を組み付けた前記プランジャ４０を前記ベース１０の絶縁壁１２，１４間に上方から収納して位置決めすることにより、ロックピン３５の上端部３６がプランジャ４０のカム溝４３に係合する（図４）。ついで、前記ベース１０の係合用突起１７にハウジング６０の係合孔６３を係合する。これにより、プランジャ４０の操作部４１がハウジング６０の操作孔６１から突出する。また、前記コイルバネ５０の一端部５１が可動接触片３０のスライド用切り欠き溝３２にスライド可能に係合し、前記可動接触片３０を引き起こすように付勢する（図１Ｂ，５Ａ）。このため、可動接触片３０の可動接点３１は固定接点２６から開離している。
【００２７】
次に、第１実施形態に係るスイッチの操作方法について説明する。
まず、図５Ａに示すように、操作前においては、コイルバネ５０のバネ力でプランジャ４０が上方に付勢されている。一方、前記コイルバネ５０の一端部５１が可動接触片３０の他端部を押し下げている。このため、前記可動接触片３０の一端部がハウジング６０の内側面に突設した位置規制用突条６４（図１Ｂ）の下端部に当接して位置規制され、脱落することがない。このとき、図５Ｄに示すように、ロックピン３５の上端部３６はプランジャ４０のカム溝４３の初期領域４４ａに位置している。
【００２８】
そして、前記プランジャ４０の操作部４１を押し下げると、コイルバネ５０が撓むとともに、その一端部５１が可動接触片３０の切り欠き溝３２内をスライドしつつ、前記可動接触片３０を引き起こす方向に付勢する。そして、押圧用突部４５が可動接触片３０の一端部を押し下げる。このとき、ロックピン３５の上端部３６がカム溝４３の初期領域４４ａから第１，第２傾斜溝４４ｂ，４４ｃを移動する。さらに、プランジャ４０の操作部４１を押し込むことにより、コイルバネ５０の一端部５１が所定の位置を越えると、コイルバネ５０の一端部５１が可動接触片３０を押し倒す方向に付勢する。このため、可動接触片３０が回動用受け部２４を支点として瞬間的に回動し、可動接点３１が固定接点２６に接触する（図５Ｃ）。
【００２９】
ついで、プランジャ４０の操作部４１を最下位まで押し込むことにより（図６Ａ）、ロックピン３５の上端部３６が第３傾斜溝４４ｄに達する（図６Ｃ）。そして、プランジャ４０の押圧を解除すると、コイルバネ５０のバネ力でプランジャ４０が上方に押し上げられるが、ロックピン３５の上端部３６がロック位置４４ｅで係止し（図６Ｄ）、プランジャ４０の上方への復帰を規制し、ロック状態となる。このため、コイルバネ５０の一端部５１が可動接触片３０を押し倒すように付勢し続け、可動接点３１が固定接点２６に接触し続ける（図６Ｂ）。
【００３０】
次に、前述のロック状態（図７Ａ，７Ｃ）を解除する場合には、プランジャ４０の操作部４１を一段深く押し下げることにより（図７Ｂ）、ロックピン３５の上端部３６がロック位置から第４傾斜溝４４ｆに移動し、ロック状態が解除される（図７Ｄ）。ついで、前記操作部４１への押圧を解除すると、コイルバネ５０が可動接触片３０を押し倒す方向に付勢しつつ、プランジャ４０を上方に押し上げ（図８Ａ）、ロックピン３５の上端部３６が第１傾斜溝４４ｂに復帰する（図８Ｄ）。さらに、プランジャ４０が元の位置に自動復帰すると、コイルバネ５０の一端部５１が所定の位置から可動接触片３０を引き起こす方向に付勢し、可動接触片３０が回動用受け部２４を支点として瞬間的に回動し、可動接点３１が固定接点２６から開離する（図８Ｂ）。さらに、可動接触片３０が回動し、その一端部がプランジャ４０の押圧用突部４５に当接した後、ハウジング６０の内側面に設けた位置規制用突条６４に当接して位置規制される。そして、ロックピン３５の上端部３６が初期領域４４ａに復帰する（図８Ｅ）。
【００３１】
第２実施形態は、図９に示すように、前述の第１実施形態とほぼ同様であり、異なる点はコイルバネ５０の代わりに帯状バネ材を断面略Ｖ字形状に屈曲した板バネ５３を使用する点である。
本実施形態よれば、板バネ５３の両端部５１，５２を撓ませてプランジャ４０に組み付けてある。そして、前記板バネ５３の一端部５１は可動接触片３０の他端縁部を付勢しつつ、スライド移動可能としてある。このため、前記板バネ５３のバネ力で可動接触片３０が瞬間的に回動し、可動接点３１が固定接点２６に接離する。
他は前述の第１実施形態と同様であるので、同一部分には同一番号を附して説明を省略する。
【００３２】
第３実施形態は、図１０ないし図１２に示すように、前述の第１実施形態と基本的構造がほぼ同様であり、異なる点は真直な可動接触片３０を回動させて接点を開閉する点である。
すなわち、図１０に示すように、真直な帯状導電材からなる可動接触片３０は、その一端部に可動接点３１を設けてあり、その中間部に設けた巾狭部３３を支持端子２１の回転用受け部２４に回動可能に組み付けてある。さらに、コイルバネ５０の両端部５１，５２の先端部はスムーズにスライドするように内方に屈曲されている。なお、同一部品については同一番号を附して説明を省略する。
【００３３】
次に、第３実施形態の操作方法について簡単に説明する。
まず、図１１Ａに示すように、操作前においては、コイルバネ５０のバネ力でプランジャ４０が上方に付勢されている一方、コイルバネ５０の一端部５１が可動接触片３０の他端部を押し下げている。このため、前記可動接触片３０の一端部側の上面縁部がハウジング６０の内側面に突設した位置規制用突条（図示せず）の下端部に当接して位置規制され、脱落することがない。このとき、第１実施形態と同様、ロックピンの上端部はプランジャ４０のカム溝の初期領域に位置している。
【００３４】
そして、前記プランジャ４０の操作部４１を押し下げると、コイルバネ５０が撓むとともに、その一端部５１が可動接触片３０を引き起こすように付勢しつつ、前記可動接触片３０の上面をスライド移動する（図１１Ａ）。そして、押圧用突部４５が可動接触片３０の一端部を押し下げる。このとき、ロックピンの上端部がカム溝の初期領域から第１，第２傾斜溝を移動する。さらに、プランジャ４０の操作部４１を押し込むことにより、コイルバネ５０の一端部５１がスライド移動し、所定の位置を越えると、コイルバネ５０の一端部５１が可動接触片３０を押し倒す方向に付勢する。このため、可動接触片３０が回動用受け部２４を支点として瞬間的に回動し、可動接点３１が固定接点２６に接触する（図１１Ｂ）。
【００３５】
ついで、プランジャ４０の操作部４１を最下位まで押し込んだ後（図１２Ａ）、操作部４１への押圧を解除すると、コイルバネ５０のバネ力でプランジャ４０が上方に押し上げられる。しかし、図示しないロックピンの上端部がカム溝のロック位置で係止し、プランジャの上方への復帰を規制し、ロック状態となる。このため、コイルバネ５０の一端部５１が可動接触片３０を押し倒すように付勢し続け、可動接点３１が固定接点２６に接触し続ける（図１２Ｂ）。
【００３６】
次に、ロック状態（図１２Ｂ）を解除する場合には、第１実施形態と同様、プランジャ４０の操作部４１を一段深く押し下げることにより、ロックピンの上端部がロック位置から第４傾斜溝に移動し、ロック状態が解除される。ついで、前記操作部４１への押圧を解除すると、コイルバネ５０の一端部５１が可動接触片３０を付勢しながらスライドし、プランジャ４０を上方に押し上げるとともに、ロックピンの上端部が第１傾斜溝に復帰する。さらに、プランジャ４０が元の位置に復帰すると、コイルバネ５０の一端部５１がスライド移動し、所定の位置に達すると、コイルバネ５０のバネ力が可動接触片３０を引き起こす方向に付勢する。このため、可動接触片３０が回動用受け部２４を支点として瞬間的に回動し、可動接点３１が固定接点２６から開離する。そして、可動接触片３０が回動し、その一端部がプランジャ４０の押圧用突部４５に当接した後、ハウジング６０の内側面に設けた位置規制用突条に当接して位置規制されるとともに、ロックピン３５が初期領域に復帰する。
【００３７】
第４実施形態は、図１３ないし図２６に示すように、前述の第１実施形態と基本的構造がほぼ同様であり、異なる第１点はコイルバネ５０の一端部５１に強制乖離用爪部５４および組立用屈曲部５５を屈曲して設けた点である。また、異なる第２点は、ロックピン３５をベース１０の底面から後付けできるようにした点である。さらに、異なる第３点は、ハウジング６０の内側面に位置決め用突条６５を突設し、前記コイルバネ５０を側方から押圧して位置決めし、ガタツキを無くした点である。
【００３８】
すなわち、第４実施形態に係るスイッチは、図１３ないし図１６に示すように、ベース１０と、前記ベース１０に組み付けられる２組の接点機構２０，２０と、一対のコイルバネ５０，５０およびロックピン３５を備え、前記接点機構２０を操作するプランジャ４０と、前記ベース１０に嵌合して前記接点機構２０を被覆するとともに、前記プランジャ４０を上下動可能に支持するハウジング６０と、で構成されている。
【００３９】
前記ベース１０は、図１４に示すように、その上面中央に突設した隔壁１１の一端部側から一対の絶縁壁１２，１２を同一直線上に突設する一方、その他端部側の延長線上に係合溝１３を配置してある。さらに、前記係合溝１３の他端部側から一対の絶縁壁１４，１４を同一直線上に突設してある。また、前記絶縁壁１２の近傍に圧入用角孔１５，１５を設けてあるとともに、前記絶縁壁１４の近傍に圧入用角孔１６，１６をそれぞれ配置してある。そして、前記ベース１０の対向する外側面に係合用突起１７，１７をそれぞれ設けてある。さらに、前記ベース１０の底面には、後述するロックピン３５を後付けするため、前記係合溝１３に連通する挿入孔１８を形成してある。前記挿入孔１８の内側面には、前記ロックピン３５に係合する係合突起１８ａ、および、前記ロックピン３５を抜け止めするための弾性爪部１８ｂを突設してある。
【００４０】
接点機構２０は、図１４に示すように、支持端子２１、固定接点端子２５および可動接触片３０からなるものである。前記支持端子２１は、断面Ｌ字形状に屈曲した導電材からなり、その一端部の隣り合う縁部から圧入用舌片２２，２２を延在してあるとともに、その一端部の残る縁部から起立片２３を延在してある。そして、前記起立片２３の先端縁部を切り欠いて回動用受け部２４を形成してある。また、前記支持端子２１は、その圧入用舌片２２，２２を前記ベース１０の圧入用角孔１５，１５に圧入して組み付けられる。
【００４１】
また、固定接点端子２５は、断面略Ｌ字形状に屈曲するとともに、その一端部に固定接点２６を設けてあるとともに、その一端部の両側縁部から圧入用舌片２７，２７を延在してある。そして、前記固定接点端子２５は、その圧入用舌片２７，２７を前記ベース１０の圧入用角孔１６，１６に圧入して組み付けられる。
【００４２】
さらに、可動接触片３０は、断面略Ｊ字形状に屈曲した帯状導電材からなり、その一端部に可動接点３１を設けてある一方、その他端部の先端面にスライド用切り欠き溝３２を形成してある。そして、前記可動接触片３０は、その両側縁部を切り欠いて形成した巾狭部３３を支持端子２１の回動用受け部２４に係合することにより、回動自在に支持される（図１６）。
【００４３】
ロックピン３５は、棒状金属材の両端部を反対方向にそれぞれ屈曲して上、下端部３６，３７をそれぞれ形成してある。なお、前記ロックピン３５の後付けによる組立方法については後述する。
【００４４】
プランジャ４０は、図１４に示すように、前記ベース１０の対向する絶縁壁１２，１４間に収納可能な平面形状を有し、その上面中央部から操作部４１を突設するとともに、正面および背面にコイルバネ５０，５０を側方から挿入して支持する軸部４２が点対称となるように形成されている。また、前記プランジャ４０は、その外側面にカム溝４３を形成してある。前記カム溝４３は、後述するロックピン３５を介して前記プランジャ４０を所定の位置でロックするためのものである。さらに、前記プランジャ４０は、図１５Ａに示すように、その下面に押圧用突部４５を前記軸部４２と平行に突設してあるとともに、その側面に嵌合溝４６を設けてある。
【００４５】
コイルバネ５０は、図１４に示すように、延在した一端部５１の先端部を屈曲することにより、強制剥離用爪部５４および組立用爪部５５を形成してある。そして、コイルバネ５０の両端部５１，５２を内側に撓ませて前記プランジャ４０の軸部４２に挿入することにより、その一端部５１が前記プランジャ４０の縁部４０ａに圧接するとともに、その他端部５２がプランジャ４０の天井面に圧接する。このため、前記コイルバネ５０の脱落を防止でき、組立作業が容易になる。
【００４６】
ハウジング６０は、図１４に示すように、前記接点機構２０および前記プランジャ４０を組み付けたベース１０の外周部に嵌合可能な箱形状を有し、その上面中央に設けた操作孔６１の開口縁部に環状リブ６２を設けてある。さらに、前記ハウジング６０は、その下方開口縁部に一対の係合孔６３を対向するように設けてある。また、ハウジング６０は、図１３Ｂに示すように、その内側面に、下端部を可動接触片３０に当接して位置規制する位置規制用突条６４と、プランジャ４０の軸部４２に嵌合したコイルバネ５０に側方から圧接して位置決めする位置決め用突条６５とを突設してある。
【００４７】
次に、第４実施形態に係るスイッチの組立方法について説明する。
まず、コイルバネ５０を軸部４２に装着したプランジャ４０をハウジング６０に組み付ける。これにより、前記ハウジング６０の内側面に設けた位置決め用突条６５がプランジャ４０の嵌合溝４６に嵌合するとともに、前記コイルバネ５０を側方から押圧し、位置決めする。そして、図１７に示すように、接点機構２０を組み付けたベース１０に、前記ハウジング６０を上方から組み付ける（図１７Ａ）。これにより、コイルバネ５０の一端部５１に設けた組立用屈曲部５５が可動接触片３０のスライド用切り欠き溝３２から内側に滑り込む（図１７Ｂ）。さらに、前記プランジャ４０を押し下げることにより、コイルバネ５０の一端部５１が切り欠き溝３２内をスライド移動して可動接触片３０を引き起こすように付勢し、可動接点３１が固定接点２６から開離する。そして、ベース１０の係合用突起１７にハウジング６０の係合孔６３が係合することにより、組立が完了する（図１７Ｃ）。
本実施形態によれば、コイルバネ５０の一端部５１が、その組立用屈曲部５５を介して可動接触片３０に確実に組み付けられるので、組立に熟練を必要とせず、生産性が高いという利点がある。
【００４８】
次に、前記ロックピン３５の組み付け方法について説明する。
図１８に示すように、ベース１０の底面に設けた挿入孔１８にロックピン３５を傾け、係合突起１８ａを避けるように挿入した後（図１８Ａ）、前記ロックピン３５を垂直に引き起こし（図１８Ｂ）、係合溝１３から突出させ、下端部３７を弾性爪部１８ｂに係合して抜け止めすることにより（図１８Ｃ、図２０）、上端部３６がプランジャ４０のカム溝４３に係合する（図２０）。
本実施形態によれば、ロックピン３５を後付けできるので、組立が容易となり、生産性が向上する。また、必要に応じてロックピン３５を後付けすればよく、ロックピン３５を装着しなければ、単なるプッシュスイッチとしても使用できる。
【００４９】
次に、第４実施形態に係るスイッチの操作方法について説明する。
まず、図２１Ａに示すように、操作前においては、コイルバネ５０のバネ力でプランジャ４０が上方に付勢されている。一方、前記コイルバネ５０の一端部５１が可動接触片３０の他端部を押し下げている。このため、前記可動接触片３０の一端部がハウジング６０の内側面に突設した位置規制用突条６４（図１３Ｂ）の下端部に当接して位置規制され、脱落することがない。このとき、図２１Ｄに示すように、ロックピン３５の上端部３６はプランジャ４０のカム溝４３の初期領域４４ａに位置している。
【００５０】
そして、前記プランジャ４０の操作部４１を押し下げると、コイルバネ５０が撓むとともに、その一端部５１が可動接触片３０の切り欠き溝３２内をスライドしつつ、前記可動接触片３０を引き起こす方向に付勢する。そして、押圧用突部４５が可動接触片３０の一端部を押し下げる。このとき、ロックピン３５の上端部３６がカム溝４３の初期領域４４ａから第１，第２傾斜溝４４ｂ，４４ｃを移動する。さらに、プランジャ４０の操作部４１を押し込むことにより、コイルバネ５０の一端部５１が所定の位置を越えると、コイルバネ５０の一端部５１が可動接触片３０を押し倒す方向に付勢する。このため、可動接触片３０が回動用受け部２４を支点として瞬間的に回動し、可動接点３１が固定接点２６に接触する（図２１Ｃ）。
【００５１】
ついで、プランジャ４０の操作部４１を最下位まで押し込むことにより（図２２Ａ）、ロックピン３５の上端部３６が第３傾斜溝４４ｄに達する（図２２Ｃ）。そして、プランジャ４０の押圧を解除すると、コイルバネ５０のバネ力でプランジャ４０が上方に押し上げられるが、ロックピン３５の上端部３６がロック位置４４ｅで係止し（図２２Ｄ）、プランジャ４０の上方への復帰を規制し、ロック状態となる。このため、コイルバネ５０の一端部５１が可動接触片３０を押し倒すように付勢し続け、可動接点３１が固定接点２６に接触し続ける（図２２Ｂ）。
【００５２】
次に、前述のロック状態（図２３Ａ，２３Ｃ）を解除する場合には、プランジャ４０の操作部４１を一段深く押し下げることにより（図２３Ｂ）、ロックピン３５の上端部３６がロック位置から第４傾斜溝４４ｆに移動し、ロック状態が解除される（図２３Ｄ）。ついで、前記操作部４１への押圧を解除すると、コイルバネ５０が可動接触片３０を押し倒す方向に付勢しつつ、プランジャ４０を上方に押し上げ（図２４Ａ）、ロックピン３５の上端部３６が第１傾斜溝４４ｂに復帰する（図２４Ｄ）。さらに、プランジャ４０が元の位置に自動復帰すると、コイルバネ５０の一端部５１が所定の位置から可動接触片３０を引き起こす方向に付勢し、可動接触片３０が回動用受け部２４を支点として瞬間的に回動し、可動接点３１が固定接点２６から開離する（図２４Ｂ）。さらに、可動接触片３０が回動し、その一端部がプランジャ４０の押圧用突部４５に当接した後、ハウジング６０の内側面に設けた位置規制用突条６４に当接して位置規制される。そして、ロックピン３５の上端部３６が初期領域４４ａに復帰する（図２４Ｅ）。
【００５３】
万一、可動接点３１が固定接点２６に溶着した場合には、図２５および図２６に示すように、プランジャ４０の操作部４１に対する押圧を解除すると、コイルバネ５０の他端部５２が前記操作部４１を押し上げるとともに、その一端部５１に設けた強制乖離用爪部５４が可動接触片３０のスライド用切り欠き溝３２の縁部に係止し、引き起こすように付勢する（図２５Ｂ）。このため、固定接点２６と可動接点３１とが溶着していても、コイルバネ５０のバネ力に基づく水平分力が接点溶着を破断する（図２６Ａ）。この結果、可動接点３１が固定接点から開離し、コイルバネ５０の一端部５１のバネ力で可動接触片３０が引き起こされ、可動接点３１が固定接点２６から開離し（図２６Ｂ）、誤動作を防止できる。
【００５４】
第４実施形態によれば、ロックピン３５を後付けせず、単なるプッシュスイッチとして使用してもよいことは勿論である。
また、ハウジング６０の内側面に設けた位置規制用突条６４，６５は、第１実施形態ないし第３実施形態のいずれにも必要に応じて設ければよい。
【産業上の利用可能性】
【００５５】
本発明に係るスイッチは、前述のスイッチのようにベースに２組の接点機構を配置したものに限らず、１組の接点機構を配置したものであってもよい。
また、プランジャ４０の押圧用突部４５は、必要に応じて前述の実施形態のいずれかに設けてもよく、もしも不要であれば、設けなくともよい。
【図面の簡単な説明】
【００５６】
【図１】図１Ａおよび図１Ｂは本発明に係るスイッチの第１実施形態を示す斜視図および部分断面斜視図である。
【図２】図１で示したスイッチの分解斜視図である。
【図３】図３Ａ，３Ｂは図２で示したブラジャーおよびベースの斜視図である。
【図４】図１で示したスイッチのハウジングを外した斜視図である。
【図５】図５Ａ，５Ｂ，５Ｃは操作過程を示す断面図、図５Ｄ，５Ｅはカム機構の動作を示す部分拡大図である。
【図６】図６Ａ，６Ｂは図５に続く操作過程を示す断面図、図６Ｃ，６Ｄは図５に続くカム機構の動作を示す部分拡大図である。
【図７】図７Ａ，７Ｂは図６に続く操作過程を示す断面図、図７Ｃ，７Ｄは図６に続くカム機構の動作を示す部分拡大図である。
【図８】図８Ａ，８Ｂ，８Ｃは図７に続く操作過程を示す断面図、図８Ｄ，８Ｅは図７に続くカム機構の動作を示す部分拡大図である。
【図９】本発明に係るスイッチの第２実施形態を示す部分断面斜視図である。
【図１０】本発明に係るスイッチの第３実施形態を示す分解斜視図である。
【図１１】図１１Ａ，１１Ｂは第３実施形態の操作過程を示す断面図である。
【図１２】図１２Ａ，１２Ｂは図１１に続く操作過程を示す断面図である。
【図１３】図１３Ａおよび図１３Ｂは本発明に係るスイッチの第４実施形態を示す斜視図および部分断面斜視図である。
【図１４】図１３で示したスイッチの分解斜視図である。
【図１５】図１５Ａ，１５Ｂは図１４で示したブラジャーおよびベースの斜視図である。
【図１６】図１３で示したスイッチのハウジングを外した斜視図である。
【図１７】図１７Ａ，１７Ｂ，１７Ｃはハウジングの組立工程を示す部分断面図である。
【図１８】図１８Ａ，１８Ｂ，１８Ｃはロックピンの組立工程を示す部分断面図である。
【図１９】図１９Ａ，１９Ｂはロックピンの組立前後を示す斜視図である。
【図２０】図２０Ａ，２０Ｂはロックピンの組立後を示す部分断面斜視図および部分断面図である。
【図２１】図２１Ａ，２１Ｂ，２１Ｃは操作過程を示す断面図であり、図２１Ｄ，２１Ｅはカム機構の動作を示す部分拡大図である。
【図２２】図２２Ａ，２２Ｂは図２１に続く操作過程を示す断面図、図２２Ｃ，２２Ｄは図２１に続くカム機構の動作を示す部分拡大図である。
【図２３】図２３Ａ，２３Ｂは図２２に続く操作過程を示す断面図、図２３Ｃ，２３Ｄは図２２に続くカム機構の動作を示す部分拡大図である。
【図２４】図２４Ａ，２４Ｂ，２４Ｃは図２３に続く操作過程を示す断面図、図２４Ｄ，２４Ｅは図２３に続くカム機構の動作を示す部分拡大図である。
【図２５】図２５Ａ，２５Ｂは接点溶着した場合の強制乖離を説明するための操作過程を示す断面図である。
【図２６】図２６Ａ，２６Ｂは図２５に続く操作過程を示す断面図である。
【符号の説明】
【００５７】
１０：ベース
１１：隔壁
１２，１４：絶縁壁
１３：係合溝
１５，１６：圧入用角孔
１８：挿入孔
１８ａ：係合突起
１８ｂ：弾性爪部
２０：接点機構
２１：支持端子
２４：回動用受け部
２５：固定接点端子
２６：固定接点
３０：可動接触片
３１：可動接点
３２：スライド用切り欠き溝
３３：巾狭部
３５：ロックピン
３６：上端部
３７：下端部
４０：プランジャ
４１：操作部
４２：軸部
４３：カム溝
５０：コイルバネ
５１：一端部
５２：他端部
５３：板バネ
５４：強制乖離用爪部
５５：組立用屈曲部
６０：ハウジング
６１：操作孔
６４：位置規制用突条
６５：位置決め用突条
【要約】
【課題】部品点数，組立工数が少なく、接点の開閉を瞬時に行うことができる小型のスイッチを提供することにある。
【解決手段】ベース１０に組み付けた支持端子２１と、断面略Ｊ字形状に屈曲した帯状導電材からなり、一端部に可動接点３１を有するとともに、中間部を前記支持端子２１の回動用受け部２４に回動可能に支持した可動接触片３０と、前記ベース１０にハウジング６０を嵌合して形成した内部空間内に上下動可能に収納されたプランジャ４０と、前記プランジャ４０に回動自在に支持されたコイルバネ５０と、からなる。そして、前記プランジャ４０を上下動させて前記コイルバネ５０の一端部５１を前記可動接触片３０の他端縁部に圧接しつつ、スライド移動させることにより、前記可動接触片３０を反転させて前記可動接点３１を固定接点２６に接離する。
【選択図】図１【図１】
0004179397.tif 000002
【図２】
0004179397.tif 000003
【図３】
0004179397.tif 000004
【図４】
0004179397.tif 000005
【図５】
0004179397.tif 000006
【図６】
0004179397.tif 000007
【図７】
0004179397.tif 000008
【図８】
0004179397.tif 000009
【図９】
0004179397.tif 000010
【図１０】
0004179397.tif 000011
【図１１】
0004179397.tif 000012
【図１２】
0004179397.tif 000013
【図１３】
0004179397.tif 000014
【図１４】
0004179397.tif 000015
【図１５】
0004179397.tif 000016
【図１６】
0004179397.tif 000017
【図１７】
0004179397.tif 000018
【図１８】
0004179397.tif 000019
【図１９】
0004179397.tif 000020
【図２０】
0004179397.tif 000021
【図２１】
0004179397.tif 000022
【図２２】
0004179397.tif 000023
【図２３】
0004179397.tif 000024
【図２４】
0004179397.tif 000025
【図２５】
0004179397.tif 000026
【図２６】
0004179397.tif 000027